(57)【特許請求の範囲】
【請求項１】
筐体と、
前記筐体内に設けられ、中央処理装置を実装した主基板と、
前記筐体内に設けられ、前記主基板に電気的に接続された接続用基板と、
前記筐体内に設けられ、前記接続用基板を介して前記主基板に電気的に接続された第１通信モジュールと、
前記筐体内に設けられ、少なくとも前記主基板に給電するバッテリーと、
前記筐体の第１側面を含む第１側面領域に設けられた無線通信用の第１アンテナと、
前記第１側面とは反対の第２側面を含む第２側面領域に設けられた無線通信用の第２アンテナと、
を備え、
前記第１アンテナは、第１信号線を介して前記第１通信モジュールに送受信可能に接続され、
前記第２アンテナは、第２信号線を介して前記第１通信モジュールに送受信可能に接続され、
前記主基板と前記バッテリーとは、平面視において前記第１側面と前記第２側面とが向かい合う第１方向および前記筐体の厚さ方向に対して直交する第２方向に位置を違えて設けられ、
前記バッテリーは、
前記主基板から前記第２方向に離れて設けられた主バッテリーと、
前記第１方向に間隔をおいて設けられた２つの補助バッテリーと、
を備え、
前記接続用基板は、平面視において前記主基板から前記主バッテリーに近づく方向に突出して設けられ、
前記第１通信モジュールは、平面視において前記主基板と前記主バッテリーとの間の中間領域であって２つの前記補助バッテリーの間に位置して前記接続用基板に接続され、
前記第１アンテナ及び前記第２アンテナは、ミリ波帯の電波に対応する、
電子機器。
【請求項２】
前記第１通信モジュールは、前記第１方向における前記筐体の中央を含む位置に設けられている、請求項１に記載の電子機器。
【請求項３】
前記筐体の前記第１側面及び前記第２側面と略直交する第３側面を含む第３側面領域に設けられた無線通信用の第３アンテナをさらに有し、
前記第３アンテナは、ミリ波帯の電波に対応し、第３信号線を介して前記第１通信モジュールに送受信可能に接続され、
前記第１通信モジュールは、平面視において、前記第１〜第３アンテナを頂点とする三角形の領域内に設けられている、請求項１または２に記載の電子機器。
【請求項４】
前記筐体の前記第１側面及び前記第２側面と略直交する第３側面を含む第３側面領域に設けられ、第４信号線を介して前記第１通信モジュールに送受信可能に接続された無線通信用の第４アンテナと、
前記第３側面領域に設けられ、第５信号線を介して前記第１通信モジュールに送受信可能に接続された無線通信用の第５アンテナと、
をさらに備え、
前記第４アンテナおよび前記第５アンテナは、前記第１アンテナおよび前記第２アンテナとは異なる通信規格の無線通信に対応する、請求項１〜３のうちいずれか１項に記載の電子機器。
【請求項５】
前記筐体内に設けられ、前記主基板に電気的に接続された第２通信モジュールをさらに備え、
前記第１側面領域に設けられ、第６信号線を介して前記第２通信モジュールに送受信可能に接続された無線通信用の第８アンテナと、
前記第２側面領域に設けられ、第７信号線を介して前記第２通信モジュールに送受信可能に接続された無線通信用の第９アンテナと、
をさらに備え、
前記第８アンテナおよび前記第９アンテナは、前記第１アンテナおよび前記第２アンテナで用いる通信規格とは異なる通信規格の無線通信に対応し、
前記第２通信モジュールは、平面視において前記中間領域に設けられている、請求項１〜４のうちいずれか１項に記載の電子機器。
【請求項６】
前記第１アンテナおよび前記第２アンテナにそれぞれ内蔵され、生体の接近を検出する近接センサと、
前記第１通信モジュールと前記主基板との間に介在する接続用基板と、
をさらに備え、
前記第１通信モジュールは、前記第１アンテナに内蔵された前記近接センサによって検出された前記生体の接近に伴って、前記第１アンテナの出力を低下させ、かつ、前記第２アンテナに内蔵された前記近接センサによって検出された前記生体の接近に伴って、前記第２アンテナの出力を低下させる、請求項１〜５のうちいずれか１項に記載の電子機器。
【請求項７】
前記筐体に設けられたキーボードと、
前記筐体に対してヒンジを介して開閉可能に連結されたディスプレイ筐体と、
前記ディスプレイ筐体に搭載されたディスプレイと、
をさらに備える、請求項１〜６のうちいずれか１項に記載の電子機器。
【発明の詳細な説明】
【技術分野】
【０００１】
本発明は、電子機器に関する。
【背景技術】
【０００２】
ノートブック型パーソナル・コンピュータ（ノートＰＣ）などの電子機器は、無線通信のためのアンテナと、通信モジュールとを備える（例えば、特許文献１を参照）。アンテナは、通信モジュールに接続される。
【先行技術文献】
【特許文献】
【０００３】
【特許文献１】特開２０１３−１６２４１３号公報
【発明の概要】
【発明が解決しようとする課題】
【０００４】
前記電子機器では、アンテナの仕様などによっては、アンテナと通信モジュールとの間の伝送損失が大きくなることがあった。
【０００５】
本発明の一態様は、アンテナと通信モジュールとの間の伝送損失を抑制できる電子機器を提供することを目的とする。
【課題を解決するための手段】
【０００６】
本発明の一態様は、筐体と、前記筐体内に設けられ、中央処理装置を実装した主基板と、前記筐体内に設けられ、前記主基板に電気的に接続された第１通信モジュールと、前記筐体内に設けられ、少なくとも前記主基板に給電するバッテリーと、前記筐体の第１側面を含む第１側面領域に設けられた無線通信用の第１アンテナと、前記第１側面とは反対の第２側面を含む第２側面領域に設けられた無線通信用の第２アンテナと、を備え、前記第１アンテナは、第１信号線を介して前記第１通信モジュールに送受信可能に接続され、前記第２アンテナは、第２信号線を介して前記第１通信モジュールに送受信可能に接続され、前記主基板と前記バッテリーとは、平面視において位置を違えて設けられ、前記第１通信モジュールは、平面視において前記主基板と前記バッテリーとの間の中間領域に設けられている、電子機器を提供する。
【０００７】
前記第１アンテナ及び前記第２アンテナは、ミリ波帯の電波に対応することが好ましい。
【０００８】
前記主基板と前記バッテリーとは、平面視において前記第１側面と前記第２側面とが向かい合う第１方向に対して直交する第２方向に位置を違えて設けられ、前記第１通信モジュールは、前記第１方向における前記筐体の中央を含む位置に設けられていることが好ましい。
【０００９】
前記電子機器は、前記筐体の前記第１側面及び前記第２側面と略直交する第３側面を含む第３側面領域に設けられた無線通信用の第３アンテナをさらに有し、前記第３アンテナは、ミリ波帯の電波に対応し、第３信号線を介して前記第１通信モジュールに送受信可能に接続され、前記第１通信モジュールは、平面視において、前記第１〜第３アンテナを頂点とする三角形の領域内に設けられていることが好ましい。
【００１０】
前記電子機器は、前記筐体の前記第１側面及び前記第２側面と略直交する第３側面を含む第３側面領域に設けられ、第４信号線を介して前記第１通信モジュールに送受信可能に接続された無線通信用の第４アンテナと、前記第３側面領域に設けられ、第５信号線を介して前記第１通信モジュールに送受信可能に接続された無線通信用の第５アンテナと、をさらに備え、前記第４アンテナおよび前記第５アンテナは、前記第１アンテナおよび前記第２アンテナとは異なる通信規格の無線通信に対応することが好ましい。
【００１１】
前記電子機器は、前記筐体内に設けられ、前記主基板に電気的に接続された第２通信モジュールをさらに備え、前記第１側面領域に設けられ、第６信号線を介して前記第２通信モジュールに送受信可能に接続された無線通信用の第８アンテナと、前記第２側面領域に設けられ、第７信号線を介して前記第２通信モジュールに送受信可能に接続された無線通信用の第９アンテナと、をさらに備え、前記第８アンテナおよび前記第９アンテナは、前記第１アンテナおよび前記第２アンテナで用いる通信規格とは異なる通信規格の無線通信に対応し、前記第２通信モジュールは、平面視において前記中間領域に設けられていることが好ましい。
【００１２】
前記電子機器は、前記第１アンテナおよび前記第２アンテナにそれぞれ内蔵され、生体の接近を検出する近接センサと、前記第１通信モジュールと前記主基板との間に介在する接続用基板と、をさらに備え、前記第１通信モジュールは、前記第１アンテナに内蔵された前記近接センサによって検出された前記生体の接近に伴って、前記第１アンテナの出力を低下させ、かつ、前記第２アンテナに内蔵された前記近接センサによって検出された前記生体の接近に伴って、前記第２アンテナの出力を低下させることが好ましい。
【００１３】
前記電子機器は、前記筐体に設けられたキーボードと、前記筐体に対してヒンジを介して開閉可能に連結されたディスプレイ筐体と、前記ディスプレイ筐体に搭載されたディスプレイと、をさらに備えることが好ましい。
【発明の効果】
【００１４】
本発明の一態様によれば、アンテナと通信モジュールとの間の伝送損失を抑制できる電子機器を提供する。
【図面の簡単な説明】
【００１５】
【図１】実施形態に係る電子機器の斜視図である。
【図２】実施形態に係る電子機器の第２筐体の平面図である。
【図３】実施形態に係る電子機器の第２筐体の内部構造を外面（裏面）側から見た平面図である。
【図４】実施形態に係る電子機器の第２筐体の内部構造を、信号線を略して示す平面図である。
【図５】実施形態に係る電子機器の第２筐体の内部構造を、一部の部品を略して示す平面図である。
【発明を実施するための形態】
【００１６】
実施形態に係る電子機器について説明する。図１は、実施形態に係る電子機器１００の斜視図である。図２は、電子機器１００の第２筐体１０２の平面図である。
【００１７】
図１に示すように、電子機器１００は、第１筐体１０１と、第２筐体１０２（筐体）と、第１〜第９アンテナ１１〜１９と、主基板１（図３参照）と、バッテリーユニット２（図３参照）と、第１通信モジュール３（図３参照）と、接続用基板４（図３参照）と、第２通信モジュール５（図３参照）、第１および第２近接センサ３１，３２（図３参照）と、を備える。電子機器１００は、例えば、ノートＰＣ（ＰＣ：パーソナルコンピュータ）である。
【００１８】
第１筐体１０１と第２筐体１０２とは、端部どうしがヒンジ機構１１０を介して連結されている。第１筐体１０１は、第２筐体１０２に対して、ヒンジ機構１１０がなす回転軸の周りに相対的に回動可能である。第１筐体１０１が第２筐体１０２に対して閉じた状態では、第２筐体１０２の内面１０２ｃは第１筐体１０１のディスプレイ１０３に対面する。外面（裏面）１０２ｄは内面１０２ｃの反対の面である。
【００１９】
第１筐体１０１は、ディスプレイ筐体とも呼ばれる。第２筐体１０２は、システム筐体とも呼ばれる。第１筐体１０１および第２筐体１０２は、矩形板状に形成されている。第１筐体１０１および第２筐体１０２の端部のうち、ヒンジ機構１１０が設けられた端部を、それぞれ第１基端部１０１ｂおよび第２基端部１０２ｂと呼ぶ。第１基端部１０１ｂおよび第２基端部１０２ｂとは反対側の端部を、それぞれ第１開放端部１０１ａおよび第２開放端部１０２ａと呼ぶ。
【００２０】
第２筐体１０２において、第２基端部１０２ｂから第２開放端部１０２ａに向かう方向を「前方」と呼ぶ。前方と反対の方向を「後方」と呼ぶ。前方および後方を「前後方向」と総称する。図２における左方および右方を、それぞれ「左方」および「右方」と呼ぶ。左方および右方を「左右方向」と総称する。
【００２１】
第２筐体１０２については、ＸＹＺ直交座標系を用いて各構成の位置関係を説明することがある。Ｘ方向（第２方向）は、前後方向である。＋Ｘ方向は前方である。−Ｘ方向は後方である。Ｘ方向（第２方向）は、Ｙ方向（第１方向）および第２筐体１０２の厚さ方向（Ｚ方向）と直交する方向である。
Ｙ方向（第１方向）は、Ｘ方向と直交する左右方向である。＋Ｙ方向は右方である。−Ｙ方向は左方である。第２基端部１０２ｂはＹ方向に延在する。Ｙ方向（第１方向）は、第１側面１１３ａと第２側面１１３ｂとが向かい合う方向である。
Ｚ方向は、第２筐体１０２の厚さ方向であって、Ｘ方向およびＹ方向に直交する方向である。＋Ｚ方向は上方である。−Ｚ方向は下方である。Ｚ方向は上下方向である。Ｚ方向は高さ方向である。Ｚ方向（上下方向）から見ることを平面視という。
【００２２】
第１筐体１０１は、ディスプレイ１０３を搭載している。ディスプレイ１０３は、例えば、液晶ディスプレイ、有機ＥＬ（ＥＬ：Electro-Luminescence）ディスプレイなどである。
【００２３】
第２筐体１０２は、上板１１１（第１主板）と、下板１１２（第２主板）と、一対の側板１１３，１１３と、前板１１４と、後板１１５とを備える。第２筐体１０２は、平板状のケース体である。第２筐体１０２は、例えば、アルミニウム合金、マグネシウム合金などの金属で構成される。
【００２４】
上板１１１は、ＸＹ平面に沿う。上板１１１は、下板１１２に対して間隔をおいて下板１１２に向かい合っている。上板１１１は、平面視において矩形状とされている。
下板１１２は、第２筐体１０２を載置面（デスクの上面など）に置いたときに、その載置面に対面する。下板１１２は、平面視において矩形状とされている。
【００２５】
一対の側板１１３のうち一方の側板１１３（第１側板１１３Ａ）は、上板１１１の左の側縁１１１ｂから、下板１１２の左の側縁にかけて形成されている。第１側板１１３Ａの外面を第１側面１１３ａ（側面）という。第１側板１１３Ａの一部または全部（例えば、少なくとも第１アンテナ１１および第８アンテナ１６に対応する部分）は、電波が透過可能な材料（例えば、合成樹脂）で構成された電波透過部とされている。
【００２６】
一対の側板１１３のうち他方の側板１１３（第２側板１１３Ｂ）は、上板１１１の右の側縁１１１ｂから、下板１１２の右の側縁にかけて形成されている。第２側板１１３Ｂの外面を第２側面１１３ｂ（側面）という。第２側板１１３Ｂの一部または全部（例えば、少なくとも第２アンテナ１２および第９アンテナ１７に対応する部分）は、電波が透過可能な材料（例えば、合成樹脂）で構成された電波透過部とされている。
【００２７】
前板１１４は、上板１１１の前端から下板１１２の前端にかけて形成されている。前板１１４の外面（前面）を前面１１４ａ（第３側面）という。前面１１４ａは、第１側面１１３ａおよび第２側面１１３ｂと直交（または略直交）する。後板１１５は、上板１１１の後端から下板１１２の後端にかけて形成されている。
【００２８】
第２筐体１０２は、キーボード１０７およびタッチパッド１０８を搭載する。キーボード１０７およびタッチパッド１０８は、入力デバイスである。
【００２９】
図２に示すように、平面視において、上板１１１の外周縁１１１ｄを含む矩形枠状の領域を外周縁領域１１７という。外周縁領域１１７は、前辺領域１１７Ａと、一対の側辺領域１１７Ｂ，１１７Ｂと、後辺領域１１７Ｃとで構成される。
前辺領域１１７Ａは、上板１１１の前縁１１１ａを含む直線状の帯状領域である。前辺領域１１７Ａは、上板１１１の左右方向の全長にわたる領域、すなわち、上板１１１の一方の側縁１１１ｂから他方の側縁１１１ｂにわたってＹ方向に延在する領域である。
前辺領域１１７Ａを「第３側面領域１１７Ａ」という。第３側面領域１１７Ａは、平面視において前面１１４ａを含む領域である。
【００３０】
側辺領域１１７Ｂ，１１７Ｂは、それぞれ上板１１１の側縁１１１ｂ，１１１ｂを含む直線状の帯状領域である。側辺領域１１７Ｂ，１１７Ｂは、上板１１１の前後方向の全長にわたる領域、すなわち、前縁１１１ａから後縁１１１ｃにわたってＸ方向に延在する領域である。側辺領域１１７Ｂ，１１７Ｂは、前辺領域１１７Ａの両端からそれぞれ後方に延出する。
側辺領域１１７Ｂの幅Ｗ１は、例えば、キーボード１０７の側縁１０７ｂと、これに対向する側縁１１１ｂとの距離と同じ、またはこの距離より小さい。
【００３１】
２つの側辺領域１１７Ｂ，１１７Ｂのうち、左の側辺領域１１７Ｂを「第１側面領域１１７Ｂ１」という。第１側面領域１１７Ｂ１は、平面視において第１側面１１３ａを含む領域である。２つの側辺領域１１７Ｂ，１１７Ｂのうち、右の側辺領域１１７Ｂを「第２側面領域１１７Ｂ２」という。第２側面領域１１７Ｂ２は、平面視において第２側面１１３ｂを含む領域である。
【００３２】
後辺領域１１７Ｃは、上板１１１の後縁１１１ｃを含む直線状の帯状領域である。後辺領域１１７Ｃは、上板１１１の左右方向の全長にわたる。後辺領域１１７Ｃは、一方の側辺領域１１７Ｂの後端から，他方の側辺領域１１７Ｂの後端にかけてＹ方向に延在する。
【００３３】
外周縁領域１１７は、例えば、平面視においてキーボード１０７を含まない領域である。前辺領域１１７Ａの幅と、側辺領域１１７Ｂ，１１７Ｂの幅と、後辺領域１１７Ｃの幅とは互いに等しい。
【００３４】
第１アンテナ１１、第２アンテナ１２および第３アンテナ１３は、無線通信用のアンテナである。
第１アンテナ１１は、第２筐体１０２内であって、平面視において第１側面領域１１７Ｂ１に包含される位置に設けられる。第１アンテナ１１は、平面視において第１側面領域１１７Ｂ１の長さ方向の中間位置に設けられる。例えば、第１アンテナ１１は、平面視において第１側面領域１１７Ｂ１の長さ方向の中央よりも後方寄りの位置にある。
【００３５】
第２アンテナ１２は、第２筐体１０２内であって、平面視において第２側面領域１１７Ｂ２に包含される位置に設けられる。第２アンテナ１２は、平面視において第２側面領域１１７Ｂ２の長さ方向の中間位置に設けられる。例えば、第２アンテナ１２は、平面視において第２側面領域１１７Ｂ２の長さ方向の中央よりも後方寄りの位置にある。
【００３６】
第１アンテナ１１および第２アンテナ１２は、第２筐体１０２の側面１１３ａ，１１３ｂに近い位置に配置されるため、外部からの電波はアンテナ１１，１２に減衰せずに到達しやすい。また、アンテナ１１，１２から放射された電波は減衰せずに外部に放射されやすくなる。よって、アンテナ１１，１２の送受信特性（送信と受信のうち少なくとも一方の特性）は高められる。
【００３７】
第３アンテナ１３は、第２筐体１０２内であって、平面視において第３側面領域１１７Ａ（前辺領域１１７Ａ）に包含される位置に設けられる。第３アンテナ１３は、平面視において第３側面領域１１７Ａの長さ方向の中間位置に設けられる。第３アンテナ１３は、例えば、平面視において第３側面領域１１７Ａの長さ方向の中央を含む位置にある。
第３アンテナ１３は、第２筐体１０２の前面１１４ａに近い位置に配置されるため、アンテナ１１，１２と同様に、送受信特性（送信と受信のうち少なくとも一方の特性）は高められる。
【００３８】
第１アンテナ１１、第２アンテナ１２および第３アンテナ１３は、ミリ波帯の電波に対応する。すなわち、第１〜第３アンテナ１１，１２，１３は、ミリ波帯の電波について送信と受信のうち少なくとも一方が可能である。ミリ波帯の電波とは、例えば、２４ＧＨｚ〜３００ＧＨｚ（例えば２４ＧＨｚ〜１００ＧＨｚ）の周波数帯の電波である。
【００３９】
上板１１１の一部であって、第１アンテナ１１、第２アンテナ１２および第３アンテナ１３が対向する領域は、それぞれ電波が透過可能な電波透過部（図示略）とされている。側板１１３，１１３の一部であって、アンテナ１１，１２に対応する領域は、電波透過部（図示略）とされている。前板１１４の一部であって、アンテナ１３に対応する領域は、電波透過部（図示略）とされている。電波透過部は、電波が透過可能な材料、例えば合成樹脂などで構成される。
なお、第１アンテナ１１、第２アンテナ１２および第３アンテナ１３は、近接センサ（不図示）を内蔵している。
【００４０】
第４アンテナ１４、第５アンテナ１５、第６アンテナ１８および第７アンテナ１９は、無線通信用のアンテナである。
第４アンテナ１４および第５アンテナ１５は、第２筐体１０２内であって、第３側面領域１１７Ａ（前辺領域１１７Ａ）に包含される位置に設けられる。第４アンテナ１４および第５アンテナ１５は、平面視において第３側面領域１１７Ａの長さ方向の中間位置に設けられる。
第４アンテナ１４は、平面視において第３側面領域１１７Ａの長さ方向の中央よりも左方寄りの位置にある。第５アンテナ１５は、平面視において第３側面領域１１７Ａの長さ方向の中央よりも右方寄りの位置にある。
【００４１】
第６アンテナ１８は、第２筐体１０２内であって、平面視において第１側面領域１１７Ｂ１（図２参照）に包含される位置に設けられる。本実施形態では、第７アンテナ１８は第４アンテナ１４と隣接（近接）して配置される。第７アンテナ１９は、第２筐体１０２内であって、平面視において第２側面領域１１７Ｂ２（図２参照）に包含される位置に設けられる。本実施形態では、第７アンテナ１９は第５アンテナ１５と隣接（近接）して配置される。
【００４２】
第４アンテナ１４、第５アンテナ１５、第６アンテナ１８および第７アンテナ１９は、第１〜第３アンテナ１１〜１３で用いる通信規格とは異なる通信規格の無線通信に対応する。アンテナ１４〜１９が対応する通信規格としては、例えば、無線ＷＡＮ（ＷＡＮ：Wide Area Network）が挙げられる。
第４アンテナ１４は送受信機（Ｔｘ／Ｒｘ）として機能するメイン（Ｍａｉｎ）アンテナであって、第５アンテナ１５は受信機（Ｒｘ）として機能するオックス（Ａｕｘ）アンテナである。
【００４３】
第６アンテナ１８および第７アンテナ１９は、４×４のＭＩＭＯ（Multi-Input Multi-Output）をサポートするためのアンテナである。第６アンテナ１８は受信機（Ｒｘ）として機能し、第７アンテナ１９は送受信機（Ｔｘ／Ｒｘ）として機能する。４×４のＭＩＭＯをサポートする必要がない場合には、第６アンテナ１８および第７アンテナ１９は適宜省略されてもよい。
【００４４】
第８アンテナ１６および第９アンテナ１７は、無線通信用のアンテナである。
第８アンテナ１６は、第２筐体１０２内であって、平面視において第１側面領域１１７Ｂ１（図２参照）に包含される位置に設けられる。第８アンテナ１６は、第１アンテナ１１より前方に位置する。第９アンテナ１７は、第２筐体１０２内であって、平面視において第２側面領域１１７Ｂ２（図２参照）に包含される位置に設けられる。第９アンテナ１７は、第２アンテナ１２より前方に位置する。
【００４５】
第８アンテナ１６および第９アンテナ１７は、第１〜第３アンテナ１１〜１３で用いる通信規格とは異なる通信規格の無線通信に対応する。第８アンテナ１６および第９アンテナ１７が対応する通信規格としては、例えば、Ｗｉｆｉ（Wireless  Fidelity）（登録商標）等の無線ＬＡＮ（ＬＡＮ：Local Area Network）が挙げられる。第８アンテナ１６および第９アンテナ１７は、例えば、一方がメイン（Ｍａｉｎ）アンテナであって、他方がオックス（Ａｕｘ）アンテナである。
【００４６】
図３は、電子機器１００の第２筐体１０２の内部構造を外面（裏面）１０２ｄ側（図１参照）から見た平面図である。図４は、第２筐体１０２の内部構造を、信号線を略して示す平面図である。図５は、第２筐体１０２の内部構造を、一部の部品を略して示す平面図である。
【００４７】
図３および図４に示すように、主基板１は、平面視において概略、矩形状とされている。主基板１は、マザーボードである。主基板１は、例えば、長さ方向を左右方向（Ｙ方向）に向けた長方形状とされている。主基板１には、中央処理装置１Ａが実装されている。中央処理装置１Ａは、ＣＰＵ（Central Processing Unit）である。主基板１は、第２筐体１０２内であって、例えば、平面視において前後方向（Ｘ方向）の中央（図４に示す中央位置Ｃ１）よりも後方寄りの位置に設けられている。
【００４８】
バッテリーユニット２は、主バッテリー２Ａ（バッテリー）と、２つの補助バッテリー２Ｂとを備える。
主バッテリー２Ａは、平面視において矩形状とされている。主バッテリー２Ａは、例えば、長さ方向を左右方向（Ｙ方向）に向けた長方形状とされている。主バッテリー２Ａは、第２筐体１０２内であって、例えば、平面視において前後方向（Ｘ方向）の中央（図４に示す中央位置Ｃ１）よりも前方寄りの位置に設けられている。
【００４９】
主基板１と主バッテリー２Ａとは、平面視において前後方向（第２方向）に位置を違えて設けられている。主基板１と主バッテリー２Ａとは、前後方向に間隔をおいて設けられている。主基板１と主バッテリー２Ａとの間の領域を、中間領域Ｒ１という。中間領域Ｒ１は、主基板１の前縁１ａと主バッテリー２Ａの後縁２Ａａとの間の領域であって、左右方向に延在する帯状領域である。中間領域Ｒ１は、第２筐体１０２の左右方向の全長にわたる領域であってもよい。
【００５０】
補助バッテリー２Ｂは、平面視において矩形状とされている。補助バッテリー２Ｂは、主バッテリー２Ａに対して後方側に隣接している。２つの補助バッテリー２Ｂ，２Ｂは、左右方向に間隔をおいて設置されている。一方の補助バッテリー２Ｂ（２Ｂ１）は平面視において左右方向（Ｙ方向）の中央（図４に示す中央位置Ｃ２）よりも−Ｙ方向寄りの位置に設けられている。他方の補助バッテリー２Ｂ（２Ｂ２）は平面視において左右方向（Ｙ方向）の中央（図４に示す中央位置Ｃ２）よりも＋Ｙ方向寄りの位置に設けられている。
バッテリーユニット２は、電子機器１００内の電子部品（例えば、主基板１、第１通信モジュール３、ディスプレイ１０３など）に給電する。
【００５１】
第１通信モジュール３は、アンテナを介して外部の機器（アクセスポイント等）と通信を行うための電子部品である。第１通信モジュール３は、例えば、受信回路、送信回路、切換回路などを含む。第１通信モジュール３は、例えば、接続用基板４を介して主基板１と電気的に接続されている。
【００５２】
図４に示すように、第１通信モジュール３は、平面視において、中間領域Ｒ１（主基板１と主バッテリー２Ａとの間の領域）内に設けられている。第１通信モジュール３は、例えば、左右方向（Ｙ方向）の中央（図４に示す中央位置Ｃ２）を含む位置に形成されている。
第１通信モジュール３は、平面視において、第１〜第３アンテナ１１〜１３を頂点とする三角形の領域Ｒ２内に設けられている。領域Ｒ２の３つの頂点は、平面視において第１〜第３アンテナ１１〜１３の重心にある。
【００５３】
図３および図５に示すように、第１アンテナ１１は、第１信号線２１を介して第１通信モジュール３に送受信可能に接続されている。第２アンテナ１２は、第２信号線２２を介して第１通信モジュール３に送受信可能に接続されている。第３アンテナ１３は、第３信号線２３を介して第１通信モジュール３に送受信可能に接続されている。第４アンテナ１４は、第４信号線２４を介して第１通信モジュール３に送受信可能に接続されている。第５アンテナ１５は、第５信号線２５を介して第１通信モジュール３に送受信可能に接続されている。第６アンテナ１８は、第８信号線２８を介して第１通信モジュール３に送受信可能に接続されている。第７アンテナ１９は、第９信号線２９を介して第１通信モジュール３に送受信可能に接続されている。第８アンテナ１６は、第６信号線２６を介して第２通信モジュール５に送受信可能に接続されている。第９アンテナ１７は、第７信号線２７を介して第２通信モジュール５に送受信可能に接続されている。
【００５４】
接続用基板４は、第１通信モジュール３と主基板１との間に介在する。接続用基板４は、例えば、コネクタ接続によって第１通信モジュール３および主基板１と電気的に接続される。接続用基板４は、例えば、フレキシブルプリント基板（ＦＰＣ：Flexible Printed Circuit）である。接続用基板４は、リジッド基板であってもよい。
接続用基板４は、平面視において、中間領域Ｒ１（主基板１と主バッテリー２Ａとの間の領域）に設けられている。
【００５５】
第２通信モジュール５は、アンテナを介して外部の機器（アクセスポイント等）と通信を行うための電子部品である。第２通信モジュール５は、例えば、受信回路、送信回路、切換回路などを含む。第２通信モジュール５は、接続用基板４に実装されている。そのため、第２通信モジュール５は、平面視において、中間領域Ｒ１（主基板１と主バッテリー２Ａとの間の領域）に設けられている。第２通信モジュール５は、例えば、接続用基板４を介して主基板１と電気的に接続されている。
【００５６】
第１近接センサ３１および第２近接センサ３２は、人体などの生体の接近を検出するセンサである。第１アンテナ１１、第２アンテナ１２および第３アンテナ１３に内蔵される近接センサも、人体などの生体の接近を検出するセンサである。これらの近接センサとしては、例えば、電磁誘導式センサ、赤外線センサ、静電容量式センサなどを用いることができる。
【００５７】
第１近接センサ３１は、送信機能を有する第４アンテナ１４に近い位置に設けられている。第２近接センサ３２は、送信機能を有する第７アンテナ１９に近い位置に設けられている。第１近接センサ３１および第２近接センサ３２は、信号線（図示略）を介して接続用基板４に電気的に接続されている。
【００５８】
第１近接センサ３１が生体を検出すると、図示しない制御部は、第４アンテナ１４による送信出力を低下させるように第１通信モジュール３の動作を制御する。第２近接センサ３２が生体を検出すると、前記制御部は、第７アンテナ１９による送信出力を低下させるように第１通信モジュール３の動作を制御する。
【００５９】
第１アンテナ１１、第２アンテナ１２および第３アンテナ１３に内蔵される不図示の近接センサは、それぞれ信号線４１〜４３を介して接続用基板４に電気的に接続されている。前記制御部は、前記近接センサが人体を検知した場合、それぞれが内蔵されるアンテナの送信出力を低下させるように第１通信モジュール３の動作を制御する。なお、アンテナ１１〜１３に内蔵される近接センサは、信号線を介して第１通信モジュール３に接続されてもよい。
【００６０】
本実施形態の電子機器１００によれば、第１通信モジュール３は、主基板１と主バッテリー２Ａとの間の中間領域Ｒ１に設けられている。そのため、第１通信モジュール３を第２筐体１０２の中央に近い位置に配置することができる。したがって、第１通信モジュール３と、アンテナ１１，１２，１３との距離を小さくし、信号線２１，２２，２３を短くできる。よって、第１通信モジュール３とアンテナ１１，１２，１３との間の伝送損失を抑えることができる。
電子機器１００では、第１通信モジュール３が中間領域Ｒ１に設けられているため、信号線２１，２２，２３の配線形態の自由度を高めることができる。
【００６１】
アンテナがミリ波帯の電波に対応する場合には、通信モジュールとアンテナとの間でＩＦ信号の送信が必要となる。また、アンテナは、筐体側面に近い位置に配置されるため、通信モジュールとの距離が大きくなりやすい。そのため、伝送損失が生じやすい。これに対し、電子機器１００では、前述のように信号線２１，２２，２３を短くできるため、ミリ波帯の電波に対応するアンテナ１１，１２，１３を用いる場合でも伝送損失を抑えることができる。
【００６２】
第１通信モジュール３は、左右方向（Ｙ方向）の中央を含む位置に形成されている。そのため、第１アンテナ１１から第１通信モジュール３までの距離と、第２アンテナ１２から第１通信モジュール３までの距離とを均等化できる。よって、信号線２１，２２を短くし、伝送損失を抑えることができる。
【００６３】
第１通信モジュール３は、図４に示す三角形の領域Ｒ２に設けられているため、アンテナ１１，１２，１３から第１通信モジュール３までの距離の差異を小さくできる。よって、信号線２１，２２，２３を短くし、伝送損失を抑えることができる。
【００６４】
電子機器１００では、第４〜第７アンテナ１４，１５，１８，１９が設けられている。第４〜第７アンテナ１４，１５，１８，１９は、第１〜第３アンテナ１１，１２，１３と同様に第１通信モジュール３に接続されている。複数種類のアンテナの信号線を共通の第１通信モジュール３に集約するため、アンテナから主基板１に至る接続構造は簡略になる。よって、第２筐体１０２内の省スペース化を図ることができる。
【００６５】
電子機器１００では、第２通信モジュール５に接続される第８および第９アンテナ１６，１７が設けられている。第２通信モジュール５は中間領域Ｒ１に設けられているため、電子機器１００では、複数種類のアンテナの信号線を中間領域Ｒ１の通信モジュール３，５に集約できる。そのため、アンテナから主基板１に至る接続構造は簡略になる。よって、第２筐体１０２内の省スペース化を図ることができる。
【００６６】
電子機器１００では、第１〜第３アンテナ１１，１２，１３に内蔵される近接センサの信号線を中間領域Ｒ１に集約できる。そのため、アンテナから主基板１に至る接続構造は簡略になる。よって、第２筐体１０２内の省スペース化を図ることができる。
【００６７】
この発明の具体的な構成は上述の実施形態に限られず、この発明の要旨を逸脱しない範囲の設計等も含まれる。上述の実施形態において説明した各構成は、任意に組み合わせることができる。
図２に示すように、電子機器１００では、第３アンテナ１３は、平面視において外周縁領域１１７の前辺領域１１７Ａに包含される位置に設けられているが、第３アンテナは、平面視において外周縁領域の後辺領域に包含される位置に設けられていてもよい。
電子機器１００は、第１〜第３アンテナ１１，１２，１３を備えるが、実施形態の電子機器は、第３アンテナはなくてもよい。
実施形態の電子機器は、ノートＰＣに限らず、スマートフォン、タブレット端末などであってもよい。
【符号の説明】
【００６８】
１…主基板、１Ａ…中央処理装置、２Ａ…主バッテリー（バッテリー）、３…第１通信モジュール、４…接続用基板、５…第２通信モジュール、１１…第１アンテナ、１２…第２アンテナ、１３…第３アンテナ、１４…第４アンテナ、１５…第５アンテナ、１６…第８アンテナ、１７…第９アンテナ、２１…第１信号線、２２…第２信号線、２３…第３信号線、２４…第４信号線、２５…第５信号線、２６…第６信号線、２７…第７信号線、３１…第１近接センサ、３２…第２近接センサ、４１〜４３…信号線、１００…電子機器、１０１…第１筐体（ディスプレイ筐体）、１０２…第２筐体（筐体）、１０３…ディスプレイ、１０７…キーボード、１１３ａ…第１側面、１１３ｂ…第２側面、１１４ａ…前面（第３側面）、１１７Ａ…第３側面領域、１１７Ｂ１…第１側面領域、１１７Ｂ２…第２側面領域、Ｃ１…平面視において前後方向（Ｘ方向）の中央位置、Ｒ１…中間領域、Ｒ２…三角形の領域、Ｘ…Ｙ方向および筐体の厚さ方向と直交する方向（第２方向）、Ｙ…第１側面と第２側面とが向かい合う方向（第１方向）、Ｚ…第２筐体の厚さ方向。
【図１】
0006963645.tif 000002
【図２】
0006963645.tif 000003
【図３】
0006963645.tif 000004
【図４】
0006963645.tif 000005
【図５】
0006963645.tif 000006